(57)【特許請求の範囲】
【請求項１】
音声信号のボリュームを調整するボリューム調整部と、
前記ボリューム調整部がボリュームを調整した音声信号を増幅する増幅部と、
温度を計測する温度計測部と、
前記増幅部に第１電圧、又は、第１電圧よりも電位が低い第２電圧を供給する電圧供給部と、
前記ボリューム調整部、及び、前記電圧供給部を制御し、前記増幅部から出力される音声信号の信号レベルを検出する制御部と、を備え、
前記制御部は、
前記温度計測部が計測した温度が、第１温度未満で、前記電圧供給部により、前記第１電圧を前記増幅部に供給しているときに、前記温度計測部が計測した温度が、前記第１温度以上に上昇した場合に、前記電圧供給部により、前記増幅部に前記第２電圧を供給し、
前記電圧供給部による前記増幅部への前記第２電圧の供給後、検出した前記信号レベルが一定でなく、且つ、前記温度計測部が計測した温度が、前記第１温度よりも高い第２温度以上に上昇した場合に、前記ボリューム調整部が調整するボリュームを所定値低下させることを特徴とする増幅装置。
【請求項２】
音声信号のボリュームを調整するボリューム調整部と、
前記ボリューム調整部がボリュームを調整した音声信号を増幅する増幅部と、
温度を計測する温度計測部と、
前記増幅部に第１電圧、第１電圧よりも電位が低い第２電圧、又は、前記第１電圧と前記第２電圧との間の電位の第３電圧を供給する電圧供給部と、
前記ボリューム調整部、及び、前記電圧供給部を制御し、前記増幅部から出力される音声信号の信号レベルを検出する制御部と、を備え、
前記制御部は、
前記温度計測部が計測した温度が、第１温度よりも低い第３温度未満で、前記電圧供給部により、前記第１電圧を前記増幅部に供給しているときに、前記温度計測部が計測した温度が、前記第３温度以上に上昇した場合に、前記電圧供給部により、前記増幅部に前記第３電圧を供給し、
前記温度計測部が計測した温度が、前記第１温度未満で、前記電圧供給部により、前記第３電圧を前記増幅部に供給しているときに、前記温度計測部が計測した温度が、前記第１温度以上に上昇した場合に、前記電圧供給部により、前記増幅部に前記第２電圧を供給し、
前記電圧供給部による前記増幅部への前記第２電圧の供給後、検出した前記信号レベルが一定でなく、且つ、前記温度計測部が計測した温度が、前記第１温度よりも高い第２温度以上に上昇した場合に、前記ボリューム調整部が調整するボリュームを所定値低下させることを特徴とする増幅装置。
【請求項３】
前記制御部は、前記電圧供給部による前記増幅部への前記第２電圧の供給後、検出した前記信号レベルが一定であり、前記信号レベルが一定になってから所定時間経過した後、前記温度計測部が計測した温度が、前記第２温度以上に上昇した場合に、前記ボリューム調整部が調整するボリュームを所定値低下させることを特徴とする請求項１又は２に記載の増幅装置。
【請求項４】
前記制御部は、前記ボリューム調整部が調整するボリュームを所定値低下させる処理を、所定時間毎に、複数回実行することを特徴とする請求項１〜３のいずれか１項に記載の増幅装置。
【請求項５】
前記制御部は、
前記温度計測部が計測した温度が、前記第１温度以上で、前記電圧供給部により、前記第２電圧を前記増幅部に供給しているときに、前記温度計測部が計測した温度が、前記第１温度よりも低い第４温度以下に下降した場合に、前記電圧供給部により、前記増幅部に前記第１電圧を供給することを特徴とする請求項１に記載の増幅装置。
【請求項６】
前記制御部は、
前記温度計測部が計測した温度が、前記第１温度以上で、前記電圧供給部により、前記第２電圧を前記増幅部に供給しているときに、前記温度計測部が計測した温度が、前記第１温度よりも低く、且つ、前記第３温度よりも高い第４温度以下に下降した場合に、前記電圧供給部により、前記増幅部に前記第３電圧を供給し、
前記温度計測部が計測した温度が、前記第３温度以上で、前記電圧供給部により、前記第３電圧を前記増幅部に供給しているときに、前記温度計測部が計測した温度が、前記第３温度よりも低い第５温度以下に下降した場合に、前記電圧供給部により、前記増幅部に前記第１電圧を供給することを特徴とする請求項２に記載の増幅装置。
【請求項７】
前記温度計測部は、温度センサーと、サーミスターと、を有し、
前記サーミスターは、前記第２温度以上で検出信号を前記制御部に供給し、
前記制御部は、前記増幅部への前記第２電圧の供給後、検出した前記信号レベルが一定でなく、且つ、前記温度センサーが計測した温度が、前記第２温度以上に上昇した場合に、又は、前記サーミスターが、前記検出信号を供給した場合に、前記ボリューム調整部が調整するボリュームを所定値低下させることを特徴とする請求項１〜６のいずれか１項に記載の増幅装置。
【請求項８】
前記増幅部は、複数の増幅器を有し、
前記制御部は、前記複数の増幅器が使用されている数に基づいて、前記第１温度、及び、前記第２温度を変化させることを特徴とする請求項１に記載の増幅装置。
【請求項９】
前記増幅部は、複数の増幅器を有し、
前記制御部は、前記複数の増幅器が使用されている数に基づいて、前記第１温度、前記第２温度、及び、前記第３温度を変化させることを特徴とする請求項２に記載の増幅装置。
【請求項１０】
前記制御部は、映像入力の有無に基づいて、前記第１温度、及び、前記第２温度を変化させることを特徴とする請求項１又は８に記載の増幅装置。
【請求項１１】
前記増幅部は、複数の増幅器を有し、
前記制御部は、前記複数の増幅器が使用されている数に基づいて、前記第１温度、前記第２温度、及び、前記第３温度を変化させることを特徴とする請求項２又は９に記載の増幅装置。
【発明の詳細な説明】
【技術分野】
【０００１】
本発明は、音声信号を増幅する増幅装置に関する。
【背景技術】
【０００２】
ＡＶアンプ（増幅装置）は、音声信号を増幅する増幅部を備えている。増幅部は、パワートランジスタにより構成されている。従来のＡＶアンプは、ＡＶアンプが備える増幅部等の温度上昇を抑えるため、増幅部に供給する電圧を切り替えている（例えば、特許文献１参照。）。そのため、ＡＶアンプの内部には、温度を計測するための温度センサーが、増幅部近傍のヒートシンクに設けられている。また、ＡＶアンプが備えるマイクロコンピューターは、増幅部から出力される音声信号の信号レベルを検出している。例えば、温度センサーが計測した温度が所定温度以上に上昇し、且つ、信号レベルが所定値以上であれば、増幅部に供給する電圧を低くする（低電圧）。また、例えば、増幅部に供給する電圧を低くした後、温度センサーが計測した温度が所定温度以下に下降し、且つ、信号レベルが所定値未満であれば、増幅部に供給する電圧を高くする（高電圧）。増幅部に供給する電圧の切替は、トランスの二次巻線を切り替えることで、実行される。また、増幅部に供給される低電圧は、高電圧の半分程度である。
【０００３】
また、他の従来のＡＶアンプは、温度センサーが計測した温度が所定温度以上に上昇した場合、マイクロコンピューターが、ボリューム調整部により、音声信号のボリュームを所定値低下させることで、温度上昇を防止する。
【先行技術文献】
【特許文献】
【０００４】
【特許文献１】特開２０１１−１６６４５６号公報
【発明の概要】
【発明が解決しようとする課題】
【０００５】
電圧を切り替えることで温度上昇を防止する従来技術では、設計で想定している出力を超えた大出力を増幅部に出し続けた場合には、増幅部に供給する電圧を低電圧に切り替えたにも関わらず、温度が低下しない場合がある。また、ボリュームを減少させることで温度上昇を防止する従来技術では、温度上昇を大きく抑えることが難しいという問題がある。
【０００６】
本発明の目的は、音声信号を増幅する増幅装置において、温度上昇を防止することである。
【課題を解決するための手段】
【０００７】
第１の発明の増幅装置は、音声信号のボリュームを調整するボリューム調整部と、前記ボリューム調整部がボリュームを調整した音声信号を増幅する増幅部と、温度を計測する温度計測部と、前記増幅部に第１電圧、又は、第１電圧よりも電位が低い第２電圧を供給する電圧供給部と、前記ボリューム調整部、及び、前記電圧供給部を制御し、前記増幅部から出力される音声信号の信号レベルを検出する制御部と、を備え、前記制御部は、前記温度計測部が計測した温度が、第１温度未満で、前記電圧供給部により、前記第１電圧を前記増幅部に供給しているときに、前記温度計測部が計測した温度が、前記第１温度以上に上昇した場合に、前記電圧供給部により、前記増幅部に前記第２電圧を供給し、前記電圧供給部による前記増幅部への前記第２電圧の供給後、検出した前記信号レベルが一定でなく、且つ、前記温度計測部が計測した温度が、前記第１温度よりも高い第２温度以上に上昇した場合に、前記ボリューム調整部が調整するボリュームを所定値低下させることを特徴とする。
【０００８】
本発明では、制御部は、電圧供給部による増幅部への第２電圧の供給後、検出した信号レベルが一定でなく、且つ、温度計測部が計測した温度が、第１温度よりも高い第２温度以上に上昇した場合に、ボリューム調整部が調整するボリュームを所定値低下させる。このように、電圧の切替、ボリュームの低下が実行されるので、温度上昇を防止することができる。また、信号レベルが一定ではない場合、すなわち、音声信号が、音楽信号である場合、ボリュームが所定値低下される。このため、ユーザーが音楽を聴いているときに、信号をクリップさせることなく、温度上昇を防止することができる。
【０００９】
第２の発明の増幅装置は、音声信号のボリュームを調整するボリューム調整部と、前記ボリューム調整部がボリュームを調整した音声信号を増幅する増幅部と、温度を計測する温度計測部と、前記増幅部に第１電圧、第１電圧よりも電位が低い第２電圧、又は、前記第１電圧と前記第２電圧との間の電位の第３電圧を供給する電圧供給部と、前記ボリューム調整部、及び、前記電圧供給部を制御し、前記増幅部から出力される音声信号の信号レベルを検出する制御部と、を備え、前記制御部は、前記温度計測部が計測した温度が、第１温度よりも低い第３温度未満で、前記電圧供給部により、前記第１電圧を前記増幅部に供給しているときに、前記温度計測部が計測した温度が、前記第３温度以上に上昇した場合に、前記電圧供給部により、前記増幅部に前記第３電圧を供給し、前記温度計測部が計測した温度が、前記第１温度未満で、前記電圧供給部により、前記第３電圧を前記増幅部に供給しているときに、前記温度計測部が計測した温度が、前記第１温度以上に上昇した場合に、前記電圧供給部により、前記増幅部に前記第２電圧を供給し、前記電圧供給部による前記増幅部への前記第２電圧の供給後、検出した前記信号レベルが一定でなく、且つ、前記温度計測部が計測した温度が、前記第１温度よりも高い第２温度以上に上昇した場合に、前記ボリューム調整部が調整するボリュームを所定値低下させることを特徴とする。
【００１０】
本発明では、制御部は、電圧供給部による増幅部への第２電圧の供給後、検出した信号レベルが一定でなく、且つ、温度計測部が計測した温度が、第１温度よりも高い第２温度以上に上昇した場合に、ボリューム調整部が調整するボリュームを所定値低下させる。このように、電圧の切替、ボリュームの低下が実行されるので、温度上昇を防止することができる。また、信号レベルが一定ではない場合、すなわち、音声信号が、音楽信号である場合、ボリュームが所定値低下される。このため、ユーザーが音楽を聴いているときに、信号をクリップさせることなく、温度上昇を防止することができる。また、増幅部に供給する電圧を３段階で切り替えることで、細かい温度制御を行うことができる。
【００１１】
第３の発明の増幅装置は、第１又は第２の発明の増幅装置において、前記制御部は、前記電圧供給部による前記増幅部への前記第２電圧の供給後、検出した前記信号レベルが一定であり、前記信号レベルが一定になってから所定時間経過した後、前記温度計測部が計測した温度が、前記第２温度以上に上昇した場合に、前記ボリューム調整部が調整するボリュームを所定値低下させることを特徴とする。
【００１２】
第４の発明の増幅装置は、第１〜第３の発明のいずれかの増幅装置において、前記制御部は、前記ボリューム調整部が調整するボリュームを所定値低下させる処理を、所定時間毎に、複数回実行することを特徴とする。
【００１３】
第５の発明の増幅装置は、第１の発明の増幅装置において、前記制御部は、前記温度計測部が計測した温度が、前記第１温度以上で、前記電圧供給部により、前記第２電圧を前記増幅部に供給しているときに、前記温度計測部が計測した温度が、前記第１温度よりも低い第４温度以下に下降した場合に、前記電圧供給部により、前記増幅部に前記第１電圧を供給することを特徴とする。
【００１４】
第６の発明の増幅装置は、第２の発明の増幅装置において、前記制御部は、前記温度計測部が計測した温度が、前記第１温度以上で、前記電圧供給部により、前記第２電圧を前記増幅部に供給しているときに、前記温度計測部が計測した温度が、前記第１温度よりも低く、且つ、前記第３温度よりも高い第４温度以下に下降した場合に、前記電圧供給部により、前記増幅部に前記第３電圧を供給し、前記温度計測部が計測した温度が、前記第３温度以上で、前記電圧供給部により、前記第３電圧を前記増幅部に供給しているときに、前記温度計測部が計測した温度が、前記第３温度よりも低い第５温度以下に下降した場合に、前記電圧供給部により、前記増幅部に前記第１電圧を供給することを特徴とする。
【００１５】
第７の発明の増幅装置は、第１〜第６の発明のいずれかの増幅装置において、前記温度計測部は、温度センサーと、サーミスターと、を有し、前記サーミスターは、前記第２温度以上で検出信号を前記制御部に供給し、前記制御部は、前記増幅部への前記第２電圧の供給後、検出した前記信号レベルが一定でなく、且つ、前記温度センサーが計測した温度が、前記第２温度以上に上昇した場合に、又は、前記サーミスターが、前記検出信号を供給した場合に、前記ボリューム調整部が調整するボリュームを所定値低下させることを特徴とする。
【００１６】
本発明では、温度計測部は、温度センサーと、サーミスターと、を有する。このため、温度センサー、サーミスターのいずれかが故障したような場合でも、温度を計測することが可能である。
【００１７】
第８の発明の増幅装置は、第１の発明の増幅装置において、前記増幅部は、複数の増幅器を有し、前記制御部は、前記複数の増幅器が使用されている数に基づいて、前記第１温度、及び、前記第２温度を変化させることを特徴とする。
【００１８】
本発明では、制御部は、複数の増幅器が使用されている数に基づいて、第１温度、及び、第２温度を変化させる。これにより、適切な温度で、電圧の切替、及び、ボリュームの低下が実行される。
【００１９】
第９の発明の増幅装置は、第２の発明の増幅装置において、前記増幅部は、複数の増幅器を有し、前記制御部は、前記複数の増幅器が使用されている数に基づいて、前記第１温度、前記第２温度、及び、前記第３温度を変化させることを特徴とする。
【００２０】
本発明では、制御部は、複数の増幅器が使用されている数に基づいて、第１温度、第２温度、及び、第３温度を変化させる。これにより、適切な温度で、電圧の切替、及び、ボリュームの低下が実行される。
【００２１】
第１０の発明の増幅装置は、第１又は第８の発明の増幅装置において、前記制御部は、映像入力の有無に基づいて、前記第１温度、及び、前記第２温度を変化させることを特徴とする。
【００２２】
本発明では、制御部は、映像入力の有無に基づいて、第１温度、及び、第２温度を変化させる。これにより、適切な温度で、電圧の切替、及び、ボリュームの低下が実行される。
【００２３】
第１１の発明の増幅装置は、第２又は第９の発明の増幅装置において、前記制御部は、映像入力の有無に基づいて、前記第１温度、前記第２温度、及び、前記第３温度を変化させることを特徴とする。
【００２４】
本発明では、制御部は、映像入力の有無に基づいて、第１温度、第２温度、及び、第３温度を変化させる。これにより、適切な温度で、電圧の切替、及び、ボリュームの低下が実行される。
【発明の効果】
【００２５】
本発明によれば、音声信号を増幅する増幅装置において、温度上昇を防止することができる。
【図面の簡単な説明】
【００２６】
【図１】本発明の実施形態に係るＡＶアンプの構成を示すブロック図である。
【図２】マイクロコンピューターによる制御を示す図である。
【図３】マイクロコンピューターによる制御を示す図である。
【図４】温度テーブルを示す図である。
【図５】使用する温度テーブルを決める場合のＡＶアンプの処理動作を示すフローチャートである。
【発明を実施するための形態】
【００２７】
以下、本発明の実施形態について説明する。
【００２８】
（第１実施形態）
図１は、本実施形態に係るＡＶアンプの構成を示すブロック図である。ＡＶアンプ１（増幅装置）は、ＣＤプレーヤー等の外部装置から入力される音声信号を増幅してスピーカー１００に出力する。図１に示すように、ＡＶアンプ１は、マイクロコンピューター２、ボリューム調整部３、増幅部４、スピーカー端子５、電圧供給部６、温度計測部７を備えている。
【００２９】
マイクロコンピューター２（制御部）は、ＣＰＵ（Central Processing Unit）、ＲＯＭ（Read Only Memory）、ＲＡＭ（Random Access Memory）、入出力インターフェース等のハードウェアから構成されている。ＣＰＵは、ＲＯＭに格納されたプログラムに従って、ＡＶアンプ１を構成する各部を制御する。すなわち、マイクロコンピューター２は、ＡＶアンプ１を構成する各部を制御する。ＲＡＭは、ＣＰＵが各種制御処理を実行する際にＲＯＭから読み出したプログラム、ＣＰＵが各種制御処理を実行する際に必要なデータ等を一時的に記憶する。ＲＡＭは、電源の供給が遮断されると、記憶しているデータが消失する揮発性メモリである。マイクロコンピューター２が行う処理については後述する。
【００３０】
ボリューム調整部３は、アナログ音声信号のボリュームを調整し、増幅部４に出力する。なお、ＡＶアンプ１にデジタル音声信号が入力される場合、デジタル音声信号は、図示しないＤ／Ａコンバーターにより、アナログ音声信号にＤ／Ａ変換される。ボリューム調整部３は、マイクロコンピューター２が決定したボリュームにアナログ音声信号を調整（減衰）する。増幅部４は、ボリューム調整部３から出力されたアナログ音声信号を増幅し、スピーカー端子５に出力する。増幅部４は、パワートランジスタにより構成されている。スピーカー端子５には、スピーカー１００が接続されており、スピーカー端子５からスピーカー１００にアナログ音声信号が出力される。スピーカー１００は、ＡＶアンプ１から入力されたアナログ音声信号に基づいて、音声を再生する。
【００３１】
電圧供給部６は、ＡＶアンプ１の各部に電圧を供給する。電圧供給部６は、増幅部４には、高電圧（第１電圧）、又は、低電圧（第２電圧）を供給する。例えば、電圧供給部６は、巻数が異なる２つの二次巻線を有するトランスを備えており、２つの二次巻線を切り替えることで、増幅部４に、高電圧、又は、低電圧を供給する（特開２００８−１１８８２５号公報参照）。
【００３２】
温度計測部７は、温度を計測する。温度計測部７は、温度センサー８と、サーミスター９と、を有する。温度センサー８、サーミスター９は、増幅部４近傍のヒートシンクに設けられている。温度センサー８、サーミスター９は、ＡＶアンプ１の筐体内部の温度を計測する。温度センサー８、サーミスター９は、増幅部４近傍のヒートシンクに設けられているため、主に、増幅部４の影響によるＡＶアンプ１の筐体内部の温度を計測することになる。温度センサー８は、計測した温度の情報をアナログの電気信号として、マイクロコンピューター２のＡ／Ｄポートに出力する。サーミスター９は、例えば、７５℃未満では、マイクロコンピューター２にハイレベルの信号を供給している。サーミスター９は、７５℃以上になると、検出信号として、マイクロコンピューター２にローレベルの信号を供給する。
【００３３】
以下、マイクロコンピューター２が行う処理について説明する。マイクロコンピューター２は、増幅部４から出力されるアナログ音声信号の信号レベルを検出する。マイクロコンピューター２のＡ／Ｄポートに、増幅部４から出力されるアナログ音声信号が入力される。
【００３４】
図２は、マイクロコンピューター２による制御を示す図である。マイクロコンピューター２は、温度センサー８が計測した温度が、６５℃（第１温度）未満であるとき、電圧供給部６により、増幅部４に高電圧を供給する。マイクロコンピューター２は、電圧供給部６により、増幅部４に高電圧を供給しているときに、温度センサー８が計測した温度が、６５℃以上に上昇した場合に、電圧供給部６により、増幅部４に低電圧を供給する。マイクロコンピューター２は、電圧供給部６による増幅部４への低電圧の供給後、検出した信号レベルが一定でなく、且つ、温度計測部７が計測した温度が、７５℃（第２温度）以上に上昇した場合に、ボリューム調整部３が調整するボリュームを３ｄＢ（所定値）低下させる。従って、ボリューム調整部３により、アナログ音声信号は、３ｄＢ減衰される（−３ｄＢ）。
【００３５】
具体的には、マイクロコンピューター２は、増幅部４への低電圧の供給後、検出した信号レベルが一定でなく、且つ、温度センサー８が計測した温度が、７５℃以上に上昇した場合に、又は、サーミスター９が、検出信号を供給した場合に、ボリューム調整部３が調整するボリュームを３ｄＢ低下させる。
【００３６】
マイクロコンピューター２は、電圧供給部６による増幅部４への低電圧の供給後、検出した信号レベルが一定である場合は、信号レベルが一定になってから５分（所定時間）経過した後、温度計測部７が計測した温度が、７５℃以上に上昇した場合に、ボリューム調整部３が調整するボリュームを３ｄＢ低下させる。従って、信号レベルが一定となってから、少なくとも５分間、ボリュームを低下させる処理は、実行されない。
【００３７】
また、マイクロコンピューター２は、ボリューム調整部３が調整するボリュームを３ｄＢ低下させる処理を、３分（所定時間）毎に、複数回実行する。具体的には、マイクロコンピューター２は、ボリューム調整部３が調整するボリュームを３ｄＢ低下させる処理を、３分（所定時間）毎に、最大５回実行する。従って、ボリュームを低下させる処理が、５回実行された場合は、ボリュームを低下させる処理を行う前と比べて、ボリュームは、１５ｄＢ（＝３ｄＢ×５）低下されている（−１５ｄＢ）。
【００３８】
マイクロコンピューター２は、温度センサー８が計測した温度が、６５℃以上で、電圧供給部６により、増幅部４に低電圧を供給しているときに、温度センサー８が計測した温度が、６０℃（第４温度）以下に下降した場合に、電圧供給部６により、増幅部４に高電圧を供給する。
【００３９】
ここで、増幅部４への低電圧の供給後、検出した信号レベルが一定でなく、且つ、温度センサー８が計測した温度が、７５℃以上に上昇した場合を、第１ボリューム制御条件という。また、電圧供給部６による増幅部４への低電圧の供給後、検出した信号レベルが一定であり、信号レベルが一定になってから５分（所定時間）経過した後、温度計測部７が計測した温度が、７５℃以上に上昇した場合を、第２ボリューム制御条件という。マイクロコンピューター２は、第１ボリューム制御条件、及び、第２ボリューム制御条件中に、ユーザーによるボリューム操作を受け付けた場合、３分間（所定時間）、ボリューム調整部３がボリュームを低下させる処理を行わない。
【００４０】
また、マイクロコンピューター２は、第１ボリューム制御条件、第２ボリューム制御条件以外のときに、ユーザーによるボリューム操作を受け付けた場合は、元のボリューム値を上書きする。また、最大５回のボリューム低下処理実行回数をクリアする。
【００４１】
（第２実施形態）
第２実施形態は、第１実施形態と比較して、電圧供給部６の構成が異なる。電圧供給部６は、増幅部４には、高電圧（第１電圧）、低電圧（第２電圧）、又は、高電圧と低電圧との間の電位の中電圧（第３電圧）を供給する。
【００４２】
図３は、マイクロコンピューター２による制御を示す図である。マイクロコンピューター２は、温度センサー８が計測した温度が、５５℃（第３温度）未満であるとき、電圧供給部６により、増幅部４に高電圧を供給する。マイクロコンピューター２は、電圧供給部６により、増幅部４に高電圧を供給しているときに、温度センサー８が計測した温度が、５５℃以上に上昇した場合に、電圧供給部６により、増幅部４に中電圧を供給する。
【００４３】
マイクロコンピューター２は、温度センサー８が計測した温度が、６５℃（第１温度）未満で、電圧供給部６により、増幅部４に中電圧を供給しているときに、温度センサー８が計測した温度が、６５℃以上に上昇した場合に、電圧供給部６により、増幅部４に低電圧を供給する。
【００４４】
マイクロコンピューター２は、電圧供給部６による増幅部４への低電圧の供給後、検出した信号レベルが一定でなく、且つ、温度計測部７が計測した温度が、７５℃（第２温度）以上に上昇した場合に、ボリューム調整部３が調整するボリュームを３ｄＢ（所定値）低下させる。従って、ボリューム調整部３により、アナログ音声信号は、３ｄＢ減衰される（−３ｄＢ）。
【００４５】
マイクロコンピューター２は、温度センサー８が計測した温度が、６５℃以上で、電圧供給部６により、増幅部４に低電圧を供給しているときに、温度センサー８が計測した温度が、６０℃以下に下降した場合に、電圧供給部６により、増幅部４に中電圧を供給する。
【００４６】
マイクロコンピューター２は、温度センサー８が計測した温度が、５５℃以上で、電圧供給部６により、増幅部４に中電圧を供給しているときに、温度センサー８が計測した温度が、５０℃（第５温度）以下に下降した場合に、電圧供給部６により、増幅部４に高電圧を供給する。
【００４７】
以上説明したように、本実施形態では、マイクロコンピューター２は、電圧供給部６による増幅部４への低電圧の供給後、検出した信号レベルが一定でなく、且つ、温度計測部７が計測した温度が、７５℃以上に上昇した場合に、ボリューム調整部３が調整するボリュームを３ｄＢ低下させる。このように、電圧の切替、ボリュームの低下が実行されるので、温度上昇を防止することができる。また、信号レベルが一定ではない場合、すなわち、音声信号が、音楽信号である場合、ボリュームが所定値低下される。このため、ユーザーが音楽を聴いているときに、信号をクリップさせることなく、温度上昇を防止することができる。
【００４８】
また、本実施形態では、温度計測部７は、温度センサー８と、サーミスター９と、を有する。このため、温度センサー８、サーミスター９のいずれかが故障したような場合でも、温度を計測することが可能である。
【００４９】
また、第２実施形態では、増幅部４に供給する電圧を３段階で切り替えることで、細かい温度制御を行うことができる。
【００５０】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５１】
上述の第１実施形態においては、電圧を切り替える温度、ボリュームを所定値低下させる温度が一定である。第１実施形態においては、１つの温度センサー８が、増幅部４近傍のヒートシンクに設けられている。このため、増幅部４を構成する複数のパワートランジスタ（増幅器）の温度それぞれを計測しているわけではない。使用チャンネル数（使用されているパワートランジスタの数）によって、増幅部４近傍の温度が変化するが、同じ処理が行われている。また、ＡＶアンプ１が入力された映像を外部のディスプレイに出力可能な場合、映像の入出力によっても温度が変化する。
【００５２】
従って、本変形例では、使用チャンネル数、映像入力の有無によって、電圧を切り替える温度、ボリュームを所定値低下させる温度を変化させる。図４は、本変形例で使用される温度テーブルを示す図である。第１温度テーブルが使用される場合、マイクロコンピューター２は、電圧供給部６により、増幅部４に高電圧を供給しているときに、温度センサー８が計測した温度が、７０℃（第１温度）以上に上昇した場合に、電圧供給部６により、増幅部４に低電圧を供給する。マイクロコンピューター２は、電圧供給部６による増幅部４への低電圧の供給後、検出した信号レベルが一定でなく、且つ、温度計測部７が計測した温度が、８０℃（第２温度）以上に上昇した場合に、ボリューム調整部３が調整するボリュームを３ｄＢ（所定値）低下させる。
【００５３】
第２温度テーブルが使用される場合、マイクロコンピューター２は、電圧供給部６により、増幅部４に高電圧を供給しているときに、温度センサー８が計測した温度が、６５℃（第１温度）以上に上昇した場合に、電圧供給部６により、増幅部４に低電圧を供給する。マイクロコンピューター２は、電圧供給部６による増幅部４への低電圧の供給後、検出した信号レベルが一定でなく、且つ、温度計測部７が計測した温度が、７５℃（第２温度）以上に上昇した場合に、ボリューム調整部３が調整するボリュームを３ｄＢ（所定値）低下させる。
【００５４】
第３温度テーブルが使用される場合、マイクロコンピューター２は、電圧供給部６により、増幅部４に高電圧を供給しているときに、温度センサー８が計測した温度が、６０℃（第１温度）以上に上昇した場合に、電圧供給部６により、増幅部４に低電圧を供給する。マイクロコンピューター２は、電圧供給部６による増幅部４への低電圧の供給後、検出した信号レベルが一定でなく、且つ、温度計測部７が計測した温度が、７０℃（第２温度）以上に上昇した場合に、ボリューム調整部３が調整するボリュームを３ｄＢ（所定値）低下させる。
【００５５】
図５は、使用する温度テーブルを決める場合のＡＶレシーバー１の処理動作を示すフローチャートである。マイクロコンピューター２は、使用チャンネル数が２チャンネルであるか否かを判断する（Ｓ１）。マイクロコンピューター２は、使用チャンネル数が２チャンネルであると判断した場合（Ｓ１：Ｙｅｓ）、使用する温度テーブルを、第２温度テーブルに決定する（Ｓ２）。
【００５６】
マイクロコンピューター２は、使用チャンネル数が２チャンネルではない、すなわち、２チャンネルより多い多チャンネルであると判断した場合（Ｓ１：Ｎｏ）、映像入力があるか否かを判断する（Ｓ３）。マイクロコンピューター２は、映像入力があると判断した場合（Ｓ３：Ｙｅｓ）、使用する温度テーブルを第１温度テーブルに決定する（Ｓ４）。マイクロコンピューター２は、映像入力がないと判断した場合（Ｓ３：Ｎｏ）、使用する温度テーブルを第３温度テーブルに決定する（Ｓ５）。
【００５７】
このように、本変形例では、マイクロコンピューター２は、使用チャンネル数（使用されているパワートランジスタの数）に基づいて、電圧を切り替える温度、ボリュームを低下させる温度を変化させる。これにより、適切な温度で、電圧の切替、ボリュームの低下が実行される。
【００５８】
また、本変形例では、マイクロコンピューター２は、映像入力の有無に基づいて、電圧を切り替える温度、ボリュームを低下させる温度を変化させる。これにより、適切な温度で、電圧の切替、ボリュームの低下が実行される。
【００５９】
なお、ここでは、第１実施形態において、使用チャンネル数（使用されているパワートランジスタの数）、映像入力の有無に基づいて、電圧を切り替える温度、ボリュームを低下させる温度を変化させる場合について説明した。第２実施形態においても同様である。
【００６０】
上述の実施形態における低下させるボリューム値、電圧切替の温度条件、ボリューム低下を行う回数、時間等の数値は、一例であり、これらの数値に限られない。
【００６１】
上述の実施形態においては、温度計測部７は、温度センサー８と、サーミスター９と、を有する。これに限らず、温度計測部７は、温度センサー８のみから構成されていてもよい。すなわち、サーミスター９は、必須ではない。
【産業上の利用可能性】
【００６２】
本発明は、音声信号を増幅する増幅装置に好適に採用され得る。
【符号の説明】
【００６３】
１  ＡＶアンプ（増幅装置）
２  マイクロコンピューター（制御部）
３  ボリューム調整部
４  増幅部
５  スピーカー端子
６  電圧供給部
７  温度計測部
８  温度センサー
９  サーミスター
１００  スピーカー
【図１】
0006361679.tif 000002
【図２】
0006361679.tif 000003
【図３】
0006361679.tif 000004
【図４】
0006361679.tif 000005
【図５】
0006361679.tif 000006